【手続補正書】
【提出日】平成17年5月23日(2005.5.23)
【手続補正１】
【補正対象書類名】明細書
【補正対象項目名】発明の名称
【補正方法】変更
【補正の内容】
【発明の名称】対話情報配信システム、対話情報配信装置および対話情報配信方法並びに記憶媒体
【手続補正２】
【補正対象書類名】明細書
【補正対象項目名】特許請求の範囲
【補正方法】変更
【補正の内容】
【特許請求の範囲】
【請求項１】
対話に参加可能な各人が携帯し、該各人の音声データを識別可能に送信する携帯送信手段と、
前記各人が携帯し、音声データを受信する携帯受信手段と、
前記携帯送信手段により送信された前記各人の音声データを受信する音声データ受信手段と、
該受信した前記各人の音声データに基づいて前記各人のうち対話に参加している対話参加者を判定する対話参加者判定手段と、
該判定結果に基づいて前記各人のうち前記対話に関する音声データの配信を受ける配信者を選定する配信者選定手段と、
該選定された配信者が携帯する前記携帯受信手段が受信可能に前記対話に関する音声データを送信する音声データ送信手段と
を備える対話情報配信システム。
【請求項２】
請求項１記載の対話情報配信システムであって、
前記対話参加者判定手段は、
前記各人の音声データを有声音データと無声音データとに区別すると共に該区別された有声音データと無声音データの時間を計測する区別計測手段と、
該区別された有声音データと無声音データおよび該計測された有声音データと無声音データの時間に基づいて前記対話を検出する対話検出手段と、
該検出された対話を構成する音声データに基づいて前記対話参加者を選定する対話参加者選定手段とを備える
対話情報配信システム。
【請求項３】
請求項２記載の対話情報配信システムであって、
前記対話参加者判定手段は、
前記区別された有声音データから第１のキーワードと該第１のキーワードと所定の関係で対をなす第２のキーワードとからなる所定関係ワードを検出する所定関係ワード検出手段と、
該所定関係ワード検出手段により前記所定関係ワードが検出されたとき、前記第１のキーワードの有声音データの基をなす音声データと該第２のキーワードの有声音データの基をなす音声データとが対話の関係にあると判定する対話関係判定手段とを備え、
前記対話検出手段は、前記対話関係判定手段の判定結果にも基づいて対話を検出する手段である
対話情報配信システム。
【請求項４】
請求項３記載の対話情報配信システムであって、
前記第１のキーワードは、挨拶，呼びかけ，質問，疑問，確認等を表わす表現であり、
前記第２のキーワードは、前記挨拶，呼びかけ，質問，疑問，確認を表わす表現に対応する応答の表現である
対話情報配信システム。
【請求項５】
前記所定の関係は、前記第１のキーワードの発現時間から所定時間内に前記第２のキーワードが発現する関係である請求項３または４記載の対話情報配信システム。
【請求項６】
請求項２ないし５いずれか記載の対話情報配信システムであって、
前記対話参加者判定手段は、前記区別された有声音データから第３のキーワードを検出するキーワード検出手段を備え、
前記対話検出手段は、前記キーワード検出手段により前記区別された有声音データから前記第３のキーワードが検出されたとき、該検出された有声音データを無声音データとみなして前記対話を検出する手段である
対話情報配信システム。
【請求項７】
前記第３のキーワードは、相づち，感動，割り込み等を表わす表現である請求項６記載の対話情報配信システム。
【請求項８】
請求項１ないし７いずれか記載の対話情報配信システムであって、
前記携帯送信手段は、音声データと異なる前記各人毎の所定信号を無線送信する所定信号送信手段を備え、
前記音声データ受信手段は、複数の異なる場所に配置され、前記所定信号送信手段により無線送信された前記各人毎の所定信号を受信する複数の所定信号受信手段を備え、
前記対話参加者判定手段は、前記複数の所定信号受信手段により受信された前記各人毎の所定信号にも基づいて前記各人のうち対話に参加している対話参加者を判定する手段である
対話情報配信システム。
【請求項９】
前記対話参加者判定手段は、前記複数の所定信号受信手段により受信された前記各人毎の所定信号に基づいて前記各人の位置を判定する位置判定手段を備え、該判定された前記各人の位置と前記音声データとに基づいて前記対話参加者を判定する手段である請求項８記載の対話情報配信システム。
【請求項１０】
前記配信者選定手段は、前記各人のうち少なくとも二人以上からなる所定のグループを設定するグループ設定手段を備え、該設定された所定のグループにも基づいて前記配信者を選定する手段である請求項１ないし９いずれか記載の対話情報配信システム。
【請求項１１】
前記配信者選定手段は、前記対話参加者判定手段により判定された対話参加者が前記所定のグループに含まれるとき、該所定のグループに属する各人を配信者に選定する手段である請求項１０記載の対話情報配信システム。
【請求項１２】
請求項１ないし１１いずれか記載の対話情報配信システムであって、
前記配信者選定手段は、
特定ワードを設定する特定ワード設定手段と、
該設定された特定ワードを前記区別された有声音データから検出する特定ワード検出手段とを備え、
該特定ワード検出手段により前記区別された有声音データから特定ワードが検出されたとき、該検出された有声音データの基となる音声データの送信者を配信者に選定する手段である
対話情報配信システム。
【請求項１３】
前記携帯送信手段は、前記音声データを送信するか否かを選択する送信選択手段を備える請求項１ないし１２いずれか記載の対話情報配信システム。
【請求項１４】
前記携帯受信手段は、前記音声データを受信するか否かを選択する受信選択手段を備える請求項１ないし１３いずれか記載の対話情報配信システム。
【請求項１５】
請求項１ないし１４いずれか記載の対話情報配信システムであって、
前記携帯受信手段は、
前記送信した音声データを記憶する記憶手段と、
操作者の操作に基づいて前記記憶手段に記憶された音声データを出力する音声出力手段とを備える
対話情報配信システム。
【請求項１６】
請求項１ないし１５いずれか記載の対話情報配信システムであって、
前記携帯送信手段は、一つのユニットとして構成され、
前記携帯受信手段は、前記携帯送信手段とは異なる一つのユニットとして構成され、
前記音声データ受信手段と、前記対話参加者判定手段と、前記配信者選定手段と、前記音声データ送信手段とが前記携帯送信手段および前記携帯受信手段とは異なるユニットとして構成されてなる
対話情報配信システム。
【請求項１７】
請求項１ないし１６いずれか記載の対話情報配信システムであって、
前記携帯送信手段と前記携帯受信手段とが一つのユニットとして構成され、
前記音声データ受信手段と、前記対話参加者判定手段と、前記配信者選定手段と、前記音声データ送信手段とが前記ユニットとは異なるユニットとして構成されてなる
対話情報配信システム。
【請求項１８】
識別可能に送信された複数の音声データを受信する音声データ受信手段と、
該受信した前記音声データに基づいて対話に参加している音声データを判定する対話判定手段と、
該判定結果に基づいて前記対話に関する音声データの配信先を選定する配信先選定手段と、
該選定された配信先に前記対話に関する音声データを送信する音声データ送信手段と、
を備える対話情報配信装置。
【請求項１９】
複数の音声データを識別可能に受信する受信手段と音声データを送信可能な送信手段とが接続されたコンピュータを用いて、前記受信手段により受信した前記各音声データに基づいて対話に参加している音声データを判定する対話判定手段と、
該判定結果に基づいて前記対話に関する音声データの配信先を選定する配信先選定手段と、
該選定された配信先に前記対話に関する音声データを送信する音声データ送信手段と、
を備える対話情報配信装置として機能させるプログラムをコンピュータ読み取り可能に記憶した記憶媒体。
【請求項２０】
複数の音声データを識別可能に受信する受信手段と音声データを送信可能な送信手段とが接続されたコンピュータを用いて、前記受信手段により受信した前記各音声データに基づいて対話に参加している音声データを判定する対話判定工程と、
該判定結果に基づいて前記対話に関する音声データの配信先を選定する配信先選定工程と、
該選定された配信先に前記対話に関する音声データを送信する音声データ送信工程と、
を含む対話情報配信方法。
【手続補正３】
【補正対象書類名】明細書
【補正対象項目名】００２６
【補正方法】変更
【補正の内容】
【００２６】
本発明の記憶媒体は、複数の音声データを識別可能に受信する受信手段と音声データを送信可能な送信手段とが接続されたコンピュータを用いて、前記受信手段により受信した前記各音声データに基づいて対話に参加している音声データを判定する対話判定手段と、該判定結果に基づいて前記対話に関する音声データの配信先を選定する配信先選定手段と、該選定された配信先に前記対話に関する音声データを送信する音声データ送信手段とを備える対話情報配信装置として機能させるプログラムをコンピュータ読み取り可能に記憶する。さらに、複数の音声データを識別可能に受信する受信手段と音声データを送信可能な送信手段とが接続されたコンピュータを用いて、前記受信手段により受信した前記各音声データに基づいて対話に参加している音声データを判定する対話判定工程と、該判定結果に基づいて前記対話に関する音声データの配信先を選定する配信先選定工程と、該選定された配信先に前記対話に関する音声データを送信する音声データ送信工程と、を含む対話情報配信方法であることを要旨とする。